(57)【要約】【課題】インク又は液体記録材の撹拌時に、インク供給路内へ気泡が侵入する可能性を低減し、且つインクがインクジェットヘッド又は吐出ヘッドから吐出されず、印刷がかすれる可能性を低減できる液体収容装置及び画像形成装置を提供する。【解決手段】印刷装置は、メインタンク、攪拌翼４１、第一チューブ５３を備える。メインタンクは、ヘッドに供給されるインクを収容する。攪拌翼４１は、メインタンク内に配置され、メインタンクに対して相対的に動作可能である。第一チューブ５３は、メインタンク内に挿通され、インクをヘッドに供給する。第一チューブ５３の下端部２９は、上下方向に対して交差する方向に伸長する。これにより、インクの攪拌時、第一チューブ５３に空気が入る可能性を低減できる。【選択図】図６
2020157503.tif 000002
【特許請求の範囲】
【請求項１】
インクジェットヘッドに供給されるインクを収容するタンクと、
前記タンク内に配置され、前記タンクに対して相対的に動作可能な攪拌翼と、
前記タンク内に挿通され、前記インクを前記インクジェットヘッドに供給する第一チューブと
を備え、
前記第一チューブの下端部の少なくとも一部は、上下方向に対して交差する方向に伸長することを特徴とする液体収容装置。
【請求項２】
前記第一チューブの前記下端部の少なくとも一部は、前記上下方向に対して直交する方向に伸長することを特徴とする請求項１に記載の液体収容装置。
【請求項３】
前記第一チューブの前記下端部の開口部は、前記攪拌翼の動作範囲の上方に配置されることを特徴とする請求項１又は２に記載の液体収容装置。
【請求項４】
前記第一チューブの前記下端部の開口部は、前記第一チューブの軸線に対して垂直に交差する方向に開口することを特徴とする請求項１〜３の何れか一つに記載の液体収容装置。
【請求項５】
前記第一チューブは、一体の部品であることを特徴とする請求項１〜４の何れか一つに記載の液体収容装置。
【請求項６】
前記第一チューブは、
前記第一チューブの前記下端部の少なくとも一部を含む先端部と、
前記先端部とは別体に設けられ、前記先端部と接続する本体部と
を備えることを特徴とする請求項１〜４の何れか一つに記載の液体収容装置。
【請求項７】
前記タンク内の前記第一チューブは、
前記第一チューブの前記下端部を構成する本体部が伸長方向に伸長し、
前記本体部以外の前記第一チューブの前記下端部を構成する先端部が前記伸長方向に対して交差する方向に伸長し、
前記本体部と、前記先端部の前記伸長方向が変更する部分の形状が固定化されていることを特徴とする請求項１〜６の何れか一つに記載の液体収容装置。
【請求項８】
前記第一チューブの前記下端部の開口部は、前記上下方向に交差する方向のうち、斜め上方に向けて開口することを特徴とする請求項１〜７の何れか一つに記載の液体収容装置。
【請求項９】
前記第一チューブの前記下端部の開口部の下側に張り出し部を備えることを特徴とする請求項１〜８の何れか一つに記載の液体収容装置。
【請求項１０】
前記第一チューブの前記下端部の上端側の位置を固定し、且つ前記第一チューブの前記下端部が前記上下方向に交差する方向に延びるように、前記第一チューブの前記上端側とは別に前記下端部の先端側を固定する固定部材を備えることを特徴とする請求項１〜９の何れか一つに記載の液体収容装置。
【請求項１１】
前記インクを前記タンクに戻す第二チューブを備え、
前記第一チューブの前記下端部の少なくとも一部は、前記第二チューブの下端部から離れる方向に伸長することを特徴とする請求項１０に記載の液体収容装置。
【請求項１２】
前記インクを前記タンクに戻す第二チューブと、
前記第一チューブの前記下端部の位置と、前記第二チューブの下端部との位置を固定可能である固定部材を備えることを特徴とする請求項１〜１１の何れか一つに記載の液体収容装置。
【請求項１３】
前記固定部材は、前記攪拌翼よりも上方に配置され、上下方向に対し下方に傾斜する傾斜部を有することを特徴とする請求項１２に記載の液体収容装置。
【請求項１４】
前記攪拌翼を一定の動作速度で駆動する駆動手段を備えることを特徴とする請求項１〜１３の何れか一つに記載の液体収容装置。
【請求項１５】
前記タンク内の前記インクの量に関わらず、前記攪拌翼を一定の動作速度で駆動する駆動手段を備えることを特徴とする請求項１〜１４の何れか一つに記載の液体収容装置。
【請求項１６】
前記タンク内の前記インクの量を検出するセンサと、
前記センサにより検出された前記インクの量が、所定値以下になったことを検出する検出手段と、
前記検出手段により前記インクの量が前記所定値以下になったことを検出した場合、前記攪拌翼による前記インクの撹拌を停止する停止手段と
を備えることを特徴とする請求項１〜１５の何れか一つに記載の液体収容装置。
【請求項１７】
前記攪拌翼は、一方向にのみ回転可能であり、
前記第一チューブの前記下端部の少なくとも一部は、前記攪拌翼が回転する回転方向に沿って延び、且つ前記下端部の開口部は、前記一方向に向かって開口することを特徴とする請求項１〜１６の何れか一つに記載の液体収容装置。
【請求項１８】
前記攪拌翼は、直線状の回転軸を有し、
前記第一チューブの前記下端部の少なくとも一部は、前記回転軸の伸展方向に直交する方向に伸長することを特徴とする請求項１〜１６の何れか一つに記載の液体収容装置。
【請求項１９】
被記録媒体に吐出される液体記録材を収容するタンクと、
前記タンク内に配置され、前記タンクに対して相対的に動作可能な攪拌翼と、
前記タンク内に挿通され、前記液体記録材を吐出ヘッドに供給する第一チューブと
を備え、
前記第一チューブの下端部の少なくとも一部は、上下方向に対して交差する方向に伸長することを特徴とする液体収容装置。
【請求項２０】
請求項１〜１９の何れか一つに記載の液体収容装置と、
前記液体収容装置から供給されるインク又は液体記録材により被記録媒体に画像を形成する画像形成部と
を備えることを特徴とする画像形成装置。
【発明の詳細な説明】
【技術分野】
【０００１】
本発明は、液体収容装置及び画像形成装置に関する。
【背景技術】
【０００２】
インクを収容する液体収容装置が知られている。例えば、特許文献１に記載の液体収容装置は、タンク、プロペラ部材、及びインク供給路を備える。タンクは、インクを収容する。プロペラ部材、及びインク供給路は、タンク内に設けられる。プロペラ部材は、シャフトに取り付けられ、シャフトの回転に連動して回転することでインクを攪拌する。インク供給路は、タンクからインクジェットヘッドにインクを供給する。
【先行技術文献】
【特許文献】
【０００３】
【特許文献１】特開２００９−２０２５６５号公報
【発明の概要】
【発明が解決しようとする課題】
【０００４】
上記液体収容装置において、タンク内のインクの残量が少なく、インクの液面の近傍にプロペラ部材がある場合に、インクジェットヘッドに供給されるインクに、気泡が含まれる可能性があった。プロペラ部材によるインクの撹拌時に、インクに気泡が含まれると、気泡が発生したインクは、インク供給路に侵入する可能性がある。この場合、インクジェットヘッドに供給されるインクに気泡が含まれるので、インクがインクジェットヘッドから吐出されず、印刷がかすれる可能性があった。
【０００５】
本発明の目的は、インク又は液体記録材の撹拌時に、インク供給路内へ気泡が侵入する可能性を低減し、且つインクがインクジェットヘッド又は吐出ヘッドから吐出されず、印刷がかすれる可能性を低減できる液体収容装置及び画像形成装置を提供することである。
【課題を解決するための手段】
【０００６】
本発明の第一態様の液体収容装置は、インクジェットヘッドに供給されるインクを収容するタンクと、前記タンク内に配置され、前記タンクに対して相対的に動作可能な攪拌翼と、前記タンク内に挿通され、前記インクを前記インクジェットヘッドに供給する第一チューブとを備え、前記第一チューブの下端部の少なくとも一部は、上下方向に対して交差する方向に伸長することを特徴とする。
【０００７】
この場合、液体収容装置では、攪拌翼の動作によりタンク内のインクが気泡を含んだ場合、気泡は上方へ移動する。液体収容装置は、第一チューブの下端部の少なくとも一部が上下方向に交差する方向に伸長する。これにより、液体収容装置は、タンク内の第一チューブの下端部の少なくとも一部が上下方向に伸長する場合に比べて、第一チューブ内に気泡が侵入する可能性を低減できる。従って、液体収容装置は、インクがインクジェットヘッドから吐出されず、印刷がかすれる可能性を低減できる。
【０００８】
また、前記第一チューブの前記下端部の少なくとも一部は、前記上下方向に対して直交する方向に伸長してもよい。この場合、液体収容装置では、第一チューブの下端部の少なくとも一部が上下方向に対して直交する。従って、液体収容装置は、タンク内のインクが気泡を含んだ場合も、第一チューブの下端部の少なくとも一部が斜め下方に伸長した場合に比べて、第一チューブ内に気泡が侵入する可能性を低減できる。従って、液体収容装置は、インクがインクジェットヘッドから吐出されず、印刷がかすれる可能性を低減できる。
【０００９】
また、前記第一チューブの前記下端部の開口部は、前記攪拌翼の動作範囲の上方に配置されてもよい。この場合、液体収容装置は、第一チューブの下端部の開口部が攪拌翼の動作範囲の上方に配置されることで、撹拌されたインクをインクジェットヘッドに、確実に、供給できる。従って、液体収容装置は、インクがインクジェットヘッドから吐出されず、印刷がかすれる可能性を低減できる。
【００１０】
また、前記第一チューブの前記下端部の開口部は、前記第一チューブの軸線に対して垂直に交差する方向に開口してもよい。この場合、液体収容装置では、第一チューブの下端部の開口部が第一チューブの軸線に対して斜めに開口している場合に比べて、開口部の上下方向の向きを気にすることなく、簡単に、第一チューブをタンク内に取り付けることができる。
【００１１】
また、前記第一チューブは、一体の部品であってもよい。この場合、液体収容装置では、第一チューブが一体の部品であることにより、タンク内へ第一チューブの付け忘れを低減することができる。
【００１２】
また、前記第一チューブは、前記第一チューブの前記下端部の少なくとも一部を含む先端部と、前記先端部とは別体に設けられ、前記先端部と接続する本体部とを備えてもよい。この場合、液体収容装置では、第一チューブは、先端部のみ交換できる。また、第一チューブは、先端部を取り外した状態の本体部のみでも使用できる。
【００１３】
また、前記タンク内の前記第一チューブは、前記第一チューブの前記下端部を構成する本体部が伸長方向に伸長し、前記本体部以外の前記第一チューブの前記下端部を構成する先端部が前記伸長方向に対して交差する方向に伸長し、前記本体部と、前記先端部の前記伸長方向が変更する部分の形状が固定化されてもよい。この場合、液体収容装置は、伸長方向が変更する部分の形状が固定化されていることにより、第一チューブ内の流路が安定する。これにより、液体収容装置は、インクを円滑にインクジェットヘッドに供給できる。従って、液体収容装置は、インクがインクジェットヘッドから吐出されず、印刷がかすれる可能性を低減できる。
【００１４】
また、前記第一チューブの前記下端部の開口部は、前記上下方向に交差する方向のうち、斜め上方に向けて開口してもよい。この場合、液体収容装置は、インクに含まれた気泡が上方へ移動しやすいので、開口部が斜め上方に向けて開口することにより、第一チューブに気泡が侵入する可能性を低減できる。従って、液体収容装置は、インクがインクジェットヘッドから吐出されず、印刷がかすれる可能性を低減できる。
【００１５】
また、前記第一チューブの前記下端部の開口部の下側に張り出し部を備えてもよい。この場合、液体収容装置は、インクに含まれた気泡が上方に移動することがあり、開口部の下側に張り出し部を備えることにより、第一チューブに気泡が侵入する可能性を低減できる。従って、液体収容装置は、インクがインクジェットヘッドから吐出されず、印刷がかすれる可能性を低減できる。
【００１６】
また、前記第一チューブの前記下端部の上端側の位置を固定し、且つ前記第一チューブの前記下端部が前記上下方向に交差する方向に延びるように、前記第一チューブの前記上端側とは別に前記下端部の先端側を固定する固定部材を備えてもよい。この場合、液体収容装置は、第一チューブを固定部材で固定することにより、第一チューブの下端部が上下方向に交差する方向に延び、第一チューブの先端側の形状が安定する。従って、液体収容装置は、インクジェットヘッドに供給されるインクに気泡が侵入する可能性が低減される。従って、液体収容装置は、インクがインクジェットヘッドから吐出されず、印刷がかすれる可能性を低減できる。
【００１７】
また、前記インクを前記タンクに戻す第二チューブを備え、前記第一チューブの前記下端部の少なくとも一部は、前記第二チューブの下端部から離れる方向に伸長してもよい。この場合、液体収容装置は、タンクに戻るインクが気泡を含む場合も、第一チューブの下端部が、第二チューブの下端部から離れる方向に伸長する。従って、液体収容装置は、第二チューブから戻るインクに含まれる気泡が第一チューブに入る可能性が低減される。従って、液体収容装置は、インクがインクジェットヘッドから吐出されず、印刷がかすれる可能性を低減できる。
【００１８】
また、前記インクを前記タンクに戻す第二チューブと、前記第一チューブの前記下端部の位置と、前記第二チューブの下端部との位置を固定可能である固定部材を備えてもよい。この場合、液体収容装置は、固定部材により第一チューブと第二チューブが絡み合う可能性を低減できる。
【００１９】
また、前記固定部材は、前記攪拌翼よりも上方に配置され、上下方向に対し下方に傾斜する傾斜部を有してもよい。タンク内のインクの組成などが固定部材に堆積したとしても、インクの組成などが固定部材上から落下しない場合に比べて、インクの組成などが固定部材上から落下する場合には、攪拌翼よってインクの組成が適切に攪拌される可能性が増す。従って、液体収容装置は、インクがインクジェットヘッドから吐出されず、印刷がかすれる可能性を低減できる。
【００２０】
また、前記攪拌翼を一定の動作速度で駆動する駆動手段を備えてもよい。この場合、液体収容装置は、攪拌翼によって一定の動作速度でインクが撹拌される。これにより、液体収容装置は、一定の動作速度よりも低速で攪拌翼が動作する場合に比べて、インクが一定の動作速度で撹拌できる。従って、液体収容装置は、インクジェットヘッドへのインクの供給が低下する可能性が低減される。
【００２１】
また、前記タンク内の前記インクの量に関わらず、前記攪拌翼を一定の動作速度で駆動する駆動手段を備えてもよい。この場合、液体収容装置は、インクの量に関わらず、攪拌翼によって一定の動作速度でインクが撹拌される。これにより、液体収容装置は、一定の動作速度よりも低速で攪拌翼が動作する場合に比べて、インクの量に関わらずインクを一定の動作速度で撹拌できる。従って、液体収容装置は、インクジェットヘッドへのインクの供給が低下する可能性が低減される。
【００２２】
また、前記タンク内の前記インクの量を検出するセンサと、前記センサにより検出された前記インクの量が、所定値以下になったことを検出する検出手段と、前記検出手段により前記インクの量が前記所定値以下になったことを検出した場合、前記攪拌翼による前記インクの撹拌を停止する停止手段とを備えてもよい。この場合、液体収容装置は、タンク内のインクの量が所定値以下になったと判断された場合、攪拌翼によるインクの撹拌を停止する。これにより、液体収容装置は、タンク内のインクが殆ど無いにも関わらず攪拌を継続する場合に比べて、気泡がインク内に発生する可能性を低減できる。従って、液体収容装置は、インクがインクジェットヘッドから吐出されず、印刷がかすれる可能性を低減できる。
【００２３】
また、前記攪拌翼は、一方向にのみ回転可能であり、前記第一チューブの前記下端部の少なくとも一部は、前記攪拌翼が回転する回転方向に沿って延び、且つ前記下端部の開口部は、前記一方向に向かって開口してもよい。この場合、液体収容装置では、第一チューブの下端部の少なくとも一部は、側面視において、攪拌翼が回転する一方向に沿って延び、且つ開口部が一方向に向かって開口する。故に、液体収容装置は、第一チューブに気泡が侵入する可能性を抑制できる。従って、液体収容装置は、インクがインクジェットヘッドから吐出されず、印刷がかすれる可能性を低減できる。
【００２４】
また、前記攪拌翼は、直線状の回転軸を有し、前記第一チューブの前記下端部の少なくとも一部は、前記回転軸の伸展方向に直交する方向に伸長してもよい。この場合、液体収容装置は、第一チューブの下端部の少なくとも一部が、前記回転軸の伸展方向に直交する方向に延びる。従って、液体収容装置は、第一チューブの下端部の少なくとも一部が攪拌翼の前記回転軸の伸展方向に直交以外で交差する方向や平行に伸長する場合に比べて、第一チューブに気泡が侵入する可能性を低減できる。従って、液体収容装置は、インクがインクジェットヘッドから吐出されず、印刷がかすれる可能性を低減できる。
【００２５】
本発明の第二態様の液体収容装置は、被記録媒体に吐出される液体記録材を収容するタンクと、前記タンク内に配置され、前記タンクに対して相対的に動作可能な攪拌翼と、前記タンク内に挿通され、前記液体記録材を吐出ヘッドに供給する第一チューブとを備え、前記第一チューブの下端部の少なくとも一部は、上下方向に対して交差する方向に伸長することを特徴とする。
【００２６】
この場合、液体収容装置は、攪拌翼の動作によりタンク内の液体記録材が気泡を含んでいたとしても、タンク内に挿通された第一チューブが全て上下方向に伸長する場合に比べて、第一チューブに気泡が侵入する可能性を低減でき、且つインクが吐出ヘッドから吐出されず、印刷がかすれる可能性を低減できる。
【００２７】
本発明の第三態様の画像形成装置では、本発明の第一態様又は第二態様の液体収容装置と、前記液体収容装置から供給されるインク又は液体記録材により被記録媒体に画像を形成する画像形成部とを備えることを特徴とする。
【００２８】
この場合、画像形成装置は、本発明の第一態様又は第二態様に記載の液体収容装置を備えることにより、本発明の第一態様又は第二態様の液体収容装置が奏する効果と同様の効果を得ることができる。
【図面の簡単な説明】
【００２９】
【図１】印刷装置１の斜視図である。
【図２】印刷装置１の構成の概略を示す図である。
【図３】メインタンク３０の縦断面図である。
【図４】図３に示す縦断面図と直交する面に於けるメインタンク３０の縦断面図である。
【図５】図４に示す縦断面図において、第一チューブ５３の取り付けの前後の状態を示した縦断面図である。
【図６】メインタンク３０内部の下端部を拡大した斜視図である。
【図７】図３に於けるＸ−Ｘ線でのメインタンク３０の横断面図である。
【図８】印刷装置１の電気的構成を示すブロック図である。
【図９】メイン処理のフローチャートを表す図である。
【図１０】残量検出処理のフローチャートを表す図である。
【図１１】変形例における第一チューブ５３の下端部２９の拡大図である。
【図１２】インク組成の堆積に関わる１つ目の変形例におけるメインタンク３０内部の下端部を拡大した拡大図である。
【図１３】インク組成の堆積に関わる２つ目の変形例におけるメインタンク３０内部の下端部を拡大した拡大図である。
【発明を実施するための形態】
【００３０】
以下、本発明の液体収容装置、及び画像形成装置の一例としての印刷装置１について、図面を参照して説明する。図１を参照し、印刷装置１の概要について説明する。図１の上方、下方、左下方、右上方、右下方、及び左上方が、各々、印刷装置１の上方、下方、前方、後方、右方、及び左方である。
【００３１】
印刷装置１は、Ｔシャツ等の布帛、紙等の被記録媒体に、インク６８（図２参照）をヘッド部６７（図２参照）のノズルから吐出して印刷を行うインクジェットプリンタである。印刷装置１は、例えば、互いに異なる５種のインク６８（ホワイト（Ｗ）、ブラック（Ｋ）、イエロー（Ｙ）、シアン（Ｃ）、及びマゼンタ（Ｍ））を下方へ向けて吐出することで、被記録媒体にカラー画像を印刷する。以下の説明では、５種のインク６８のうち、ホワイトのインク６８を白インクといい、ブラック、シアン、イエロー、及びマゼンタの４色のインク６８を総称する場合はカラーインクという。白インクは、カラーインクよりも沈降性の高いインクである。
【００３２】
図１に示すように、印刷装置１は、筐体２、プラテン駆動機構６、一対のガイドレール（図示せず）、プラテン５、トレイ４、枠体１０、ガイドシャフト９、レール７、キャリッジ２０、ヘッドユニット１００，２００、駆動ベルト１０１、及び駆動モータ１９を備える。筐体２の右側前方の位置には、印刷装置１の操作を行うための操作ボタン５０１（図８参照）が設けられている。操作ボタン５０１は、作業者が印刷装置１の各種動作に関する指示を入力する際に操作される。
【００３３】
枠体１０は、平面視略長方形状の枠状であり、筐体２の上部に設置される。枠体１０は、前方側にガイドシャフト９を、後方側にレール７を夫々支持する。ガイドシャフト９は、枠体１０内側において左右方向に延びる。レール７は、ガイドシャフト９に対向して配置され、左右方向に延びる。
【００３４】
キャリッジ２０は、ガイドシャフト９に沿って左右方向に搬送可能に支持されている。ヘッドユニット１００，２００は、前後方向に並べられてキャリッジ２０に搭載されている。ヘッドユニット１００は、ヘッドユニット２００よりも後方に位置する。ヘッドユニット１００，２００は、夫々、ヘッド部６７（図２参照）を下部に備える。ヘッドユニット１００のヘッド部６７は、白インクを吐出する。ヘッドユニット２００のヘッド部６７は、カラーインクを吐出する。ヘッド部６７は、インク６８を下方に吐出可能な微細なノズル（図示せず）を複数有する面を備えている。
【００３５】
図１に示すように、駆動ベルト１０１は、枠体１０の内側において、左右方向に沿って架け渡される。駆動モータ１９は、駆動ベルト１０１を介して、キャリッジ２０と連結されている。駆動モータ１９が駆動ベルト１０１を駆動することにより、ガイドシャフト９に沿ってキャリッジ２０が左右方向に往復移動される。
【００３６】
プラテン駆動機構６は、一対のガイドレール（図示せず）及びプラテン支持台（図示せず）を備える。一対のガイドレールは、プラテン駆動機構６の内側を前後方向に延び、プラテン支持台を前後方向に移動可能に支持する。プラテン支持台は、上部においてプラテン５を支持する。プラテン５は、被記録媒体を支持する。プラテン５の下方には、トレイ４が設けられている。トレイ４は、作業者がＴシャツ等をプラテン５に載置する際に、Ｔシャツのそで等を受けることで、このそで等が筐体２内部の他の部品に接触しないように保護する。プラテン駆動機構６は、副走査駆動部６３（図８参照）によって駆動され、プラテン支持台及びプラテン５を、一対のガイドレールに沿って、前後方向に移動する。プラテン５が、被記録媒体を前後方向（副走査方向）に搬送し、左右方向（主走査方向）に往復移動するヘッド部６７からインク６８が吐出されることで、印刷装置１による被記録媒体への印刷が行われる。
【００３７】
図２に示すように、印刷装置１は、制御装置であるＣＰＵ１１、及びインク供給部７００を備える。図２は、印刷装置１の構成の概略を示す図であるので、後述する第一チューブ５３及び第二チューブ５４の配置は、図３〜図７と異なる。ＣＰＵ１１は、制御プログラムに従って、印刷装置１を制御する。インク供給部７００は、白色のインク６８をヘッドユニット１００のヘッド部６７に供給する。ヘッド部６７は、インクジェットヘッドを備える。ヘッドユニット２００のヘッド部６７に他の４色のインク６８を供給するインク供給部（図示せず）も図２と同様の構造であってもよい。以下では白色のインク６８に関わる構成を挙げて印刷装置１を説明する。
【００３８】
図２〜図７に示すように、印刷装置１は、メインタンク３０、シャフト４０、攪拌翼４１、第一チューブ５３、第二チューブ５４、固定部材５２、圧力検出素子４２、中空部材５８、及び攪拌モータ４４を備える。メインタンク３０は、インク６８を収容する。メインタンク３０に収容されたインク６８はインク供給部７００に供給され、インク供給部７００から戻るインク６８は再びメインタンク３０に収容される。メインタンク３０の収容可能量は、後述するサブパウチ８の収容可能量より多い。攪拌モータ４４はシャフト４０を回転する。シャフト４０の回転により攪拌翼４１が回転してインク６８が攪拌される。第一チューブ５３、第二チューブ５４は、一体の部品である。第一チューブ５３は、後述する第一供給流路７１１に接続され、メインタンク３０内のインク６８をヘッド部６７に供給する。第一チューブ５３は、メインタンク３０に取り付ける前の状態では、図５の一点鎖線で示すような一直線状である。第一チューブ５３は、メインタンク３０に取り付けられた状態では、図５の実線で示すような曲線状となるように、後述の固定部材５２によって固定される。このように、第一チューブ５３がメインタンク３０に取り付けられた状態では、第一チューブ５３は湾曲しているので、第一チューブ５３の先端部の伸長方向が変更している。しかし、第一チューブ５３がメインタンク３０から取り外されると、第一チューブ５３は湾曲が多少は残るが、ほぼ一直線状の形状に復帰するような材質で構成されている。即ち、第一チューブ５３の先端部の伸長方向が変更する部分の形状は、固定化されていない。第二チューブ５４は、後述する第一循環流路７２１に接続され、インク６８をメインタンク３０に戻す。図６に示すように、第一チューブ５３の下端部２９の開口部２９Ａは、下端部２９の軸線に対して垂直に交差する。第二チューブ５４の下端部２５の開口部２５Ａは、下端部２５の軸線に対して垂直に交差する。固定部材５２は第一チューブ５３、第二チューブ５４、及び中空部材５８の位置を固定する。圧力検出素子４２は中空部材４８内の圧力を検出する。なお、図５においては、図４のメインタンク３０内の部品の一部を省略している。
【００３９】
＜メインタンク３０＞
図３に示すように、メインタンク３０は、上部３００、底部３０３、右側面３０１、左側面３０２、及び傾斜面３０４を備える。左側面３０２は、上下方向において右側面３０１より短く、左側面３０２の下端部の位置は、右側面３０１の下端部の位置より高い。傾斜面３０４は、左側面３０２の下端部と底部３０３の左端部を接続する。また、図４に示すように、メインタンク３０は、前面３０５、及び後面３０６を備える。従って、メインタンク３０は、インク６８の有無に関わらず、一定の形状で構成される。メインタンク３０内のインク６８がメインタンク３０外に供給されると、メインタンク３０内の液面が下方に下がる。メインタンク３０は、一定の形状で構成されるので、形状が変化しない。故に、メインタンク３０は、インク６８の液面の上方に気体を有する空間を維持する。
【００４０】
図３に示すように、上部３００には、開口である容器開口部３１、容器開口部３２、及び容器開口部３３が設けられる。容器開口部３１、容器開口部３２、及び容器開口部３３は、蓋３４、蓋３５、及び蓋３６により夫々閉じられている。メインタンク３０にインク６８が補充される場合、蓋３６が外され、容器開口部３３からインク６８がメインタンク３０内に供給される。
【００４１】
蓋３４には、挿通孔３２１、挿通孔３２２、及び挿通孔（図示せず）が設けられる。挿通孔３２１からメインタンク３０の内部にシャフト４０が挿通される。挿通孔３２２には、圧力検出素子４２を支持する中空部材５８が固定される。挿通孔には、隔壁固定部材３２４が設けられる。隔壁固定部材３２４は、内部に図示しない貫通孔を備え、上部にねじ部３２４Ａが形成される。隔壁固定部材３２４は、ねじ部３２４Ａにより蓋３４に固定されている。隔壁固定部材３２４は、第一チューブ５３、及び第二チューブ５４を内部の貫通孔により固定し、且つ、メインタンク３０の内部に挿通する。
【００４２】
＜シャフト４０及び攪拌翼４１＞
図３に示すように、シャフト４０は、上下方向に延びる円柱状の回転軸であり、軸線４５を中心に回転する。シャフト４０の下端部に攪拌翼４１が接続される。従って、攪拌翼４１は、メインタンク３０の内部の底部３０３側、すなわちメインタンク３０の下方側に設けられる。図６、図７に示すように、攪拌翼４１は、シャフト４０から等間隔で延びる複数の軸部４１１と、各軸部４１１に夫々固定された翼部４１２を備えている。翼部４１２の形状は、シャフト４０の回転により、インク６８をメインタンク３０の上部３００方向に送る形状を有しているのが望ましい。この形状の一例が傾斜である。
【００４３】
図３に示すように、蓋３４の上部には、枠３７が設けられる。枠３７は、上壁３７１、下壁３７２、及び左壁３７３を備える。上壁３７１と下壁３７２とは、上下方向に所定間隔を隔てて平行に延び、左壁３７３により接続される。枠３７は、シャフト４０を回転可能に支持する。上壁３７１には、モータ支持台３８が設けられる。モータ支持台３８は攪拌モータ４４を支持する。攪拌モータ４４の回転軸４４１は、モータ支持台３８を貫通して下方に突出する。回転軸４４１には、ギア４４２が固定される。シャフト４０の上部にも、ギア４０１が固定される。ギア４４２とギア４０１との間には、ギア４４３が配置され、ギア４４２、４０１と歯合する。従って、ＣＰＵ１１の制御によって、攪拌モータ４４の回転軸４４１が回転するとシャフト４０が回転する。シャフト４０の回転により攪拌翼４１が回転する。攪拌翼４１は、一方向に、すなわち順方向である平面視時計回り方向に回転可能である。攪拌翼４１が回転すると、メインタンク３０の底部３０３側に溜まったインク６８は、上部３００に向けて移動する。従って、インク６８が攪拌される。従って、メインタンク３０においてインク６８の成分が沈降する可能性を低減できる。
【００４４】
＜中空部材５８＞
図３〜図７に示すように、中空部材５８は、メインタンク３０の内部に配置される。中空部材５８は、上方側と下方側２１で構成され、略Ｌ字状である（図６参照）。中空部材５８の上方側は上下方向に伸展し、下方側２１は前後方向に延びる。中空部材５８の下方側２１は、上下方向と直交する水平方向の成分を含む方向、すなわち前後方向に伸展する。中空部材５８は、内部を伸展する中空を有する。中空部材５８の中空は、ガスバリア性の素材で構成される。中空部材５８は、下方側２１において中空の開口部２１Ａを有する。
【００４５】
＜固定部材５２＞
図６に示すように、固定部材５２は、第一チューブ５３の下端部２９の位置と、第二チューブ５４の下端部２５と、中空部材５８の下方側２１の位置を固定可能である。固定部材５２は、板状部５０、位置決め部材５２Ａ、５２Ｂ、５２Ｃを備える。板状部５０は、長方形状であり、シャフト４０に沿って長辺が上下方向、短辺が前後方向に延びる。図６に示すように、板状部５０は、シャフト４０と、第一チューブ５３及び第二チューブ５４との間に配置される。板状部５０の上端部は蓋３４に、隔壁固定部材３２４のねじ部３２４Ａにより蓋３４に固定される。
【００４６】
図４及び図６に示すように、固定部材５２の位置決め部材５２Ａは、長方形状であり、板状部５０の下端部の前方、且つ下方から左方向に折れ曲げられて延びる。位置決め部材５２Ａは、上下方向に貫通する楕円形の開口５２１を有する。位置決め部材５２Ａの開口５２１に、第一チューブ５３の下端部２９と第二チューブ５４の下端部２５が挿入される。位置決め部材５２Ａの開口５２１は、第一チューブ５３の下端部２９の上端側の位置を固定する。
【００４７】
固定部材５２の位置決め部材５２Ｂは、位置決め部材５２Ａよりも下方側且つ後方側に位置する。位置決め部材５２Ｂは、長方形状であり、板状部５０の下端部の下方且つ後方から左方向に折れ曲げられて延びる。位置決め部材５２Ｂは、円形の前後方向に貫通する開口５２２を有する。第一チューブ５３の下端５３１が位置決め部材５２Ｂの開口５２２に挿入されている。すなわち、位置決め部材５２Ｂの開口５２２は、第一チューブ５３の上端側とは別に、下端部２９の下端５３１側を固定する。これにより、第一チューブ５３の下端部２９は、上下方向に対して交差する方向に、すなわち後方且つ下方に伸長する。第一チューブ５３の下端部２９の開口部２９Ａは、後方に向けて開口する。第二チューブ５４の下端部２５の開口部２５Ａは、下方に向けて開口する。図４に示すように、第一チューブ５３の下端５３１は、第二チューブ５４の下端５４１よりも上方に位置する。第一チューブ５３の下端部２９は、第二チューブ５４の下端部２５から離れる方向に伸長する。
【００４８】
固定部材５２の位置決め部材５２Ｃは、メインタンク３０の内部に設けられる。
位置決め部材５２Ｃは、長方形状であり、板状部５０の下端部に設けられる。位置決め部材５２Ｃは、板状部５０の下端部において、位置決め部材５２Ａの上方且つ後方から右方に折れ曲げられて延びる。位置決め部材５２Ｃは、上下方向に貫通する円形の開口５２３、５２４を有する。開口５２３、５２４は、左右方向に並ぶ。位置決め部材５２Ｃの開口５２３に、中空部材５８の下方側２１が挿入される。開口５２３は、中空部材５８の位置を固定する。また、シャフト４０は、位置決め部材５２Ｃの開口５２４に回転可能に挿通される。
【００４９】
図４〜図７を参照して、第一チューブ５３、第二チューブ５４、中空部材５８、固定部材５２の位置関係について説明する。図７に示すように、固定部材５２は、上下方向において攪拌翼４１の回転領域４１３と重なるように配置されている。例えば、攪拌翼４１の回転領域４１３は、シャフト４０の軸線４５から攪拌翼４１の最外周までの距離を半径とする円内の領域である。固定部材５２は、上下方向から見た場合において、回転領域４１３内に入る位置に配置される。
【００５０】
第一チューブ５３の下端部２９は、攪拌翼４１よりも上方に配置される。また、第二チューブ５４の下端部２５は、攪拌翼４１よりも上方に配置される。第一チューブ５３の開口部２９Ａは、攪拌翼４１の上方に配置される。第二チューブ５４の開口部２５Ａは、攪拌翼４１の上方に配置される。
【００５１】
第一チューブ５３の下端部２９は、攪拌翼４１が回転する回転方向である平面視時計回り方向に沿って延び、且つ下端部２９の開口部２９Ａは、回転方向である後向に向かって開口する。第二チューブ５４の下端部２５の開口部２５Ａは、下方に向けて開口する。
【００５２】
図７に示すように、中空部材５８の下方側２１は、攪拌翼４１よりも上方に配置され、且つ中空部材５８の開口部２１Ａは、攪拌翼４１の上方に位置する。中空部材５８の下方側２１は、攪拌翼４１が一方向に回転する回転方向に沿って延び、且つ中空部材５８の開口部２１Ａは、前方に向かって開口する。従って、開口部２１Ａは、インク６８が攪拌される方向に向かって伸びている。故に、中空部材５８は、インク６８が気泡を含んだとしても、中空部材５８の内部に気泡が入る可能性を低減できる。
【００５３】
図３に示すように、固定部材５２、第一チューブ５３、及び第二チューブ５４は、中空部材５８と容器開口部３３との間に配置される。固定部材５２の位置決め部材５２Ａ、５２Ｂ、５２Ｃは、第一チューブ５３、第二チューブ５４、中空部材５８を、メインタンク３０の内部で固定する。固定部材５２の位置決め部材５２Ｃは、容器開口部３３側とは反対側のメインタンク３０の右側面３０１側で、中空部材５８の位置を固定する。具体的には、中空部材５８の開口部２１Ａは、容器開口部３３とは反対側のメインタンク３０の右側面３０１側に配置されている。従って、容器開口部３３から供給されたインク６８が中空部材５８の開口部２１Ａに直撃する可能性が低くなる。故に液体収容装置は、衝撃による中空部材５８の劣化を抑制できる。
【００５４】
＜圧力検出素子４２＞
図３に示すように、圧力検出素子４２は、中空部材５８の上端に配置される。圧力検出素子４２は、ケース４２Ａを備え、圧力を検出するための検出素子（図示せず）がケース４２Ａに格納されている。検出素子は、中空部材５８の中空の上端に配置される。圧力検出素子４２はメインタンク３０内のインク６８とは離れて設けられている。圧力検出素子４２は、中空内の圧力を検出する。圧力検出素子４２は、大気圧の変動を補正可能なゲージ圧を検出する。中空部材５８と圧力検出素子４２との間は、密閉部材２４により密封されている（図３参照）。密閉部材２４は、一例としてパッキン等のシール部材である。
【００５５】
中空部材５８とインク６８との位置関係を説明する。例えば、メインタンク３０内にインク６８が所定値以上供給されている場合に、中空部材５８の中空にインク６８が侵入する。所定値とは、例えば、図３に示す高さにインク６８がある場合をいう。この場合、インク６８と中空における気体との境界は、中空部材５８の下方側２１に位置する。
【００５６】
中空部材５８の下方側２１の中空における気体とインク６８との境界は、中空部材５８の中空内の気体の伸縮に応じて移動する。この場合においても、インク６８と中空部材５８の中空内の気体との境界は、中空部材５８の下方側２１に位置する。印刷装置１は、気体の温度が変化して中空部材５８が膨張又は収縮したとしても、インク６８の液面から下方側２１までの深さが変わらない。故に、印刷装置１は、気体の温度変化による圧力検出素子４２への影響を低減できる。
【００５７】
＜インク供給部７００＞
図２に示すように、インク供給部７００は、インク６８をヘッド部６７に供給し、また、インク６８が循環する部位である。インク供給部７００は、第一供給流路７１１、第二供給流路７１２、第一循環流路７２１、第二循環流路７２２、第一接続流路７３１、第二接続流路７３２、サブパウチ８、脱気モジュール６０、ポンプ７５１、及び電磁弁７６１，７６２，７６３，７６４，７６５，７６６、及びフィルタ７７１を備える。
【００５８】
サブパウチ８は、袋状であり、メインタンク３０から供給されたインク６８を収容する。また、サブパウチ８は、ヘッド部６７にインク６８を供給する。ヘッド部６７は、サブパウチ８から供給されたインク６８を吐出して、印刷対象物に印刷を行う。サブパウチ８には、残量センサ８９９が装着される。
【００５９】
第一供給流路７１１、第二供給流路７１２、第一循環流路７２１、第二循環流路７２２、第一接続流路７３１、第二接続流路７３２は、例えば、中空状のチューブによって形成されている。第一供給流路７１１は、第一チューブ５３とサブパウチ８とに接続し、メインタンク３０からサブパウチ８にインク６８を供給する流路である。
【００６０】
第二供給流路７１２は、サブパウチ８とヘッド部６７とに接続し、サブパウチ８からヘッド部６７にインク６８を供給する流路である。第一供給流路７１１と第二供給流路７１２とは、第一接続部７９１において合流する。第一接続流路７３１は、第一接続部７９１とサブパウチ８との間の流路である。すなわち、第一接続流路７３１は、第一供給流路７１１の一部であり、第二供給流路７１２の一部でもある。
【００６１】
第一循環流路７２１は、第二チューブ５４とサブパウチ８とに接続し、サブパウチ８からメインタンク３０にインク６８を循環させる流路である。第二循環流路７２２は、ヘッド部６７とサブパウチ８とに接続し、ヘッド部６７からサブパウチ８にインク６８を循環させる流路である。第一循環流路７２１と第二循環流路７２２とは、第二接続部７９２おいて合流する。第二接続流路７３２は、第二接続部７９２とサブパウチ８との間の流路である。すなわち、第二接続流路７３２は、第一循環流路７２１の一部であり、第二循環流路７２２の一部でもある。
【００６２】
電磁弁７６１は、第一供給流路７１１に設けられる。電磁弁７６１は、後述する脱気部６０１よりも、サブパウチ８側に位置している。電磁弁７６１は、ＣＰＵ１１によって制御され、第一供給流路７１１を開閉する。電磁弁７６２は、第一接続流路７３１に設けられる。電磁弁７６２は、ＣＰＵ１１によって制御され、第一接続流路７３１を開閉する。電磁弁７６３は、第二供給流路７１２に設けられる。電磁弁７６３は、ＣＰＵ１１によって制御され、第二供給流路７１２を開閉する。
【００６３】
電磁弁７６４は、第一循環流路７２１に設けられる。電磁弁７６４は、ＣＰＵ１１によって制御され、第一循環流路７２１を開閉する。電磁弁７６５は、第二接続流路７３２に設けられる。電磁弁７６５は、ＣＰＵ１１によって制御され、第二接続流路７３２を開閉する。電磁弁７６６は、第二循環流路７２２に設けられる。電磁弁７６６は、ＣＰＵ１１によって制御され、第二循環流路７２２を開閉する。
【００６４】
フィルタ７７１は、第一供給流路７１１に設けられる。フィルタ７７１は、第一供給流路７１１を流れるインク６８に含まれる異物を除去する。ポンプ７５１は、第一供給流路７１１に設けられている。ポンプ７５１は、フィルタ７７１よりもサブパウチ８側に設けられている。ポンプ７５１は、メインタンク３０からインク６８を吸い上げ、下流側であるサブパウチ８側に流す。
【００６５】
脱気モジュール６０は、第一供給流路７１１に設けられている。脱気モジュール６０は、脱気部６０１、真空フィルタ６０２、減圧ポンプ６０３、電磁弁６０４、吸気フィルタ６０５、経路６０６、経路６０８、及び経路６０９を備えている。脱気部６０１は、第一供給流路７１１に設けられている。脱気部６０１は、ポンプ７５１と電磁弁７６１との間に位置している。真空フィルタ６０２は、経路６０６を介して、脱気部６０１と接続されている。経路６０６は、接続部６０７において経路６０８と接続されている。吸気フィルタ６０５は、経路６０８に接続されている。電磁弁６０４は、経路６０８に設けられている。減圧ポンプ６０３は、経路６０９を介して真空フィルタ６０２に接続されている。
【００６６】
減圧ポンプ６０３は、ＣＰＵ１１の制御によって動作し、真空フィルタ６０２を介して経路６０６を減圧する。従って、脱気部６０１を流れるインク６８に含まれる気泡が減少する。経路６０６が減圧される場合、電磁弁６０４は、ＣＰＵ１１の制御によって、経路６０８を閉じる。経路６０６を減圧しない場合、電磁弁６０４は、ＣＰＵ１１の制御によって経路６０８を開く。経路６０８が開かれると、吸気フィルタ６０５及び経路６０６を介して、外気が経路６０６に供給される。従って、経路６０６の減圧状態が解消される。吸気フィルタ６０５は、経路６０８側に流れる外気から異物を除去する。
【００６７】
＜電気的構成＞
図８を参照して印刷装置１の電気的構成を説明する。図８に示すように、印刷装置１は、印刷装置１の制御を司る制御装置としてのＣＰＵ１１を備える。ＣＰＵ１１は、ＲＯＭ１２、ＲＡＭ１３、ＥＥＰＲＯＭ５９、７７、ヘッド駆動部６１、主走査駆動部６２、副走査駆動部６３、攪拌モータ駆動部６４、ポンプ駆動部６５、圧力検出素子４２、温度センサ６６、及び操作処理部５７と、バス５５を介して電気的に接続する。
【００６８】
ＣＰＵ１１は、例えば、制御プログラムを実行することにより、メインタンク３０から供給されるインク６８により被記録媒体に画像を形成する。ＲＯＭ１２は、ＣＰＵ１１が印刷装置１の動作を制御するための制御プログラム及び初期値等を記憶する。ＲＡＭ１３は、制御プログラムで用いられる各種データを一時的に記憶する。ＥＥＰＲＯＭ５９は、印刷装置１の電源のＯＮ／ＯＦＦによらずデータを保持して記憶する。ヘッド駆動部６１は、インク６８を吐出するヘッド部６７に電気的に接続されており、ヘッド部６７の各吐出チャンネルに設けられた圧電素子を駆動してノズルからインク６８を吐出させる。
【００６９】
主走査駆動部６２は、駆動モータ１９（図１参照）を含み、キャリッジ２０を左右方向（主走査方向）に移動させる。副走査駆動部６３は、図示しないモータ及びギア等を含み、プラテン駆動機構６（図１参照）を駆動してプラテン５（図１参照）を前後方向（副走査方向）に移動させる。
【００７０】
攪拌モータ駆動部６４は、攪拌モータ４４を駆動する。ポンプ駆動部６５は、ポンプ７５１を駆動する。操作処理部５７は、操作ボタン５０１に対する操作入力をＣＰＵ１１に出力する。圧力検出素子４２は、中空部材５８の中空内の圧力を検知してＣＰＵ１１に出力する。温度センサ６６は、メインタンク３０内の温度を検知しＣＰＵ１１に出力する。
【００７１】
ＥＥＰＲＯＭ７７は、メインタンク３０内のインク６８の残量に関するデータを記憶している。ＥＥＰＲＯＭ７７に記憶されたインク６８の残量に関するデータは、中空部材５８の中空内の圧力と関連付けられている。ＣＰＵ１１は、圧力検出素子４２によって出力された圧力に基づき、メインタンク３０におけるインク６８の残量を検出する。なお、ＥＥＰＲＯＭ７７（図８参照）は、図示しないメモリ装着部（図示せず）に装着される。メモリ装着部は、ＥＥＰＲＯＭ７７を着脱自在に装着可能である。
【００７２】
図９、図１０を参照して、メイン処理、及び残量検出処理の一例を説明する。制御装置であるＣＰＵ１１は、例えば、電源が投入された場合、ＲＯＭ１２に記憶された制御プログラムを読み出して実行する。なお、制御プログラムは、メインタンク３０内のインク６８が消費された場合に実行されてもよい。例えば、制御プログラムは、メンテナンスを行う場合等や、所定の周期毎に実行されてもよい。ＣＰＵ１１は、制御プログラムが実行されるとメイン処理を実行する。ＣＰＵ１１は、操作ボタン５０１の操作による印刷指示があったか否か判断する（Ｓ１）。ＣＰＵ１１は、印刷指示が無いと判断した場合（Ｓ１：ＮＯ）、処理をＳ１に戻して印刷指示を待つ。ＣＰＵ１１は、印刷指示があると判断した場合（Ｓ１：ＹＥＳ）、残量取得処理を行う（Ｓ３）。
【００７３】
図１０に示すように、残量取得処理では、ＣＰＵ１１は、圧力検出素子４２により中空部材５８の中空内の圧力を取得する（Ｓ１０１）。ＣＰＵ１１は、ＥＥＰＲＯＭ７７を参照し、取得した圧力に基づきメインタンク３０内のインク６８の残量を特定する（Ｓ１０３）。ＣＰＵ１１は、圧力検出素子４２の出力に基づき特定されたインク６８の残量が所定値以下か否か判断する（Ｓ１０５）。ＣＰＵ１１は、インク６８の残量が所定値より多いと判断した場合（Ｓ１０５：ＮＯ）、インク６８の残量に問題が無いとして、処理を戻す。ＣＰＵ１１は処理をＳ５に進める。ＣＰＵ１１は、インク６８の残量（図４の線Ｄを参照）が所定値以下であると判断した場合（Ｓ１０５：ＹＥＳ）、攪拌翼４１、ポンプ７５１の駆動停止指示を行う（Ｓ１０７）。ＣＰＵ１１は、処理をＳ５に進める。
【００７４】
図１０に示すように、ＣＰＵ１１は、攪拌翼４１、ポンプ７５１の駆動停止指示があるか否か判断する（Ｓ５）。ＣＰＵ１１は、攪拌翼４１、ポンプ７５１の駆動停止指示が無いと判断した場合（Ｓ５：ＮＯ）、攪拌モータ４４を駆動開始に伴う回転速度が徐々に増した後の所定時間、一定の回転速度で平面視反時計回りに駆動することで、攪拌翼４１を駆動する（Ｓ７）。これにより、メインタンク３０内のインク６８が攪拌される。次いで、ＣＰＵ１１は、ポンプ７５１を稼働する（Ｓ９）。ＣＰＵ１１は、ポンプ７５１を制御して、第一チューブ５３のインク６８をメインタンク３０の外部に流出させる。すなわち、ＣＰＵ１１は、圧力検出素子４２により検出された圧力に応じて、ポンプ７５１を稼働する。ＣＰＵ１１は、印刷処理を実行する（Ｓ１１）。ＣＰＵ１１は処理をＳ１に戻す。
【００７５】
一方、ＣＰＵ１１は、攪拌翼４１、ポンプ７５１の駆動停止指示があると判断した場合（Ｓ５：ＹＥＳ）、攪拌モータ４４を制御して、攪拌翼４１の駆動を停止する（Ｓ１３）。ＣＰＵ１１は、攪拌翼４１を制御することで、メインタンク３０の内部のインク６８を撹拌し、圧力検出素子４２の出力に応じて、攪拌翼４１を停止する。ＣＰＵ１１は、圧力検出素子４２の出力に応じて、攪拌翼４１を停止させることで、インク６８に気泡が含まれるのを抑制できる。次いで、ＣＰＵ１１は、ポンプ７５１の稼働を停止する（Ｓ１５）。すなわち、ＣＰＵ１１は、圧力検出素子４２により検出された圧力に応じて、ポンプ７５１を停止する。これにより、ＣＰＵ１１は、メインタンク３０内のインク６８の残量が少ないにもかかわらず、ポンプ７５１を駆動することを防ぎ、第一チューブ５３内に気泡が侵入する可能性を低減できる。ＣＰＵ１１は処理をＳ１に戻す。この場合、作業者は、メインタンク３０内にインク６８を補充し、印刷装置１が印刷可能な状態にするのが望ましい。
【００７６】
上記実施の形態の印刷装置１では、第一チューブ５３は、メインタンク３０内に挿通され、インク６８をヘッド部６７に供給する。第一チューブ５３の下端部２９は、上下方向に対して交差する方向に伸長する。印刷装置１では、攪拌翼４１の動作によりメインタンク３０内のインク６８が気泡を含んだ場合、気泡は上方へ移動する。印刷装置１は、第一チューブ５３の下端部２９が上下方向に交差する方向に伸長する。これにより、印刷装置１は、メインタンク３０内の第一チューブ５３の下端部２９が上下方向に伸長する場合に比べて、第一チューブ５３内に気泡が侵入する可能性を低減できる。従って、印刷装置１は、インク６８がヘッド部６７から吐出されず、印刷がかすれる可能性を低減できる。
【００７７】
第一チューブ５３の下端部２９の開口部２９Ａは、攪拌翼４１の回転領域４１３の上方に配置される。印刷装置１は、第一チューブ５３の下端部２９の開口部２９Ａが攪拌翼４１の動作範囲の上方に配置されることで、撹拌されたインク６８をヘッド部６７に、確実に、供給できる。従って、印刷装置１は、インク６８がヘッド部６７から吐出されず、印刷がかすれる可能性を低減できる。
【００７８】
第一チューブ５３の下端部２９の開口部２９Ａは、第一チューブ５３の軸線に対して垂直に交差する方向に開口する。印刷装置１では、第一チューブ５３の下端部２９の開口部２９Ａが第一チューブ５３の軸線に対して斜めに開口している場合に比べて、開口部２９Ａの上下方向の向きを気にすることなく、簡単に、第一チューブ５３をメインタンク３０内に取り付けることができる。
【００７９】
第一チューブ５３は、一体の部品である。印刷装置１では、第一チューブ５３が一体の部品であることにより、メインタンク３０内へ第一チューブ５３の付け忘れを低減することができる。
【００８０】
固定部材５２は、第一チューブ５３の下端部２９の上端側の位置を固定する。固定部材５２は、第一チューブ５３の下端部２９が上下方向に交差する方向に延びるように、第一チューブ５３の上端側とは別に下端部の先端側を固定する。印刷装置１は、第一チューブ５３を固定部材５２で固定することにより、第一チューブ５３の下端部２９が上下方向に交差する方向に延び、第一チューブ５３の先端側の形状が安定する。従って、印刷装置１は、ヘッド部６７に供給されるインク６８に気泡が侵入する可能性が低減される。従って、印刷装置１は、インク６８がヘッド部６７から吐出されず、印刷がかすれる可能性を低減できる。
【００８１】
第二チューブ５４は、インク６８をメインタンク３０に戻す。第一チューブ５３の下端部２９は、第二チューブ５４の下端部２５から離れる方向に伸長する。印刷装置１は、メインタンク３０に戻るインク６８が気泡を含む場合も、第一チューブ５３の下端部２９が、第二チューブ５４の下端部２５から離れる方向に伸長する。従って、印刷装置１は、第二チューブ５４から戻るインク６８に含まれる気泡が第一チューブ５３に入る可能性が低減される。従って、印刷装置１は、インク６８がヘッド部６７から吐出されず、印刷がかすれる可能性を低減できる。
【００８２】
第二チューブ５４は、インク６８をメインタンク３０に戻す。固定部材５２は、第一チューブ５３の下端部２９の位置と、第二チューブ５４の下端部２５との位置を固定可能である。印刷装置１は、固定部材５２により第一チューブ５３と第二チューブ５４が絡み合う可能性を低減できる。
【００８３】
メインタンク３０は、一定の形状で構成される。メインタンク３０内のインク６８がメインタンク３０外に供給されると、メインタンク３０内の液面が下方に下がり、インク６８の液面の上方に気体を有する空間を維持する一定の形状で構成される。攪拌翼４１は、メインタンク３０の下方に設けられる。第一チューブ５３の下端部２９は、攪拌翼４１よりも上方に配置される。印刷装置１は、メインタンク３０内のインク６８の残量が少なくなり、メインタンク３０内の液面が下がり、インク６８の液面が攪拌翼４１に到達する場合がある。この場合、印刷装置１は、インク６８が気泡を含んだとしても、第一チューブ５３の下端部２９は上下方向に交差する方向に伸長するので、第一チューブ５３に気泡が侵入する可能性を低減できる。従って、印刷装置１は、インク６８がヘッド部６７から吐出されず、印刷がかすれる可能性を低減できる。
【００８４】
ＣＰＵ１１は、攪拌翼４１を一定の動作速度で駆動する。印刷装置１は、攪拌翼４１によって一定の動作速度でインク６８が撹拌される。これにより、印刷装置１は、一定の動作速度よりも低速で攪拌翼４１が動作する場合に比べて、インク６８が一定の動作速度で撹拌できる。従って、印刷装置１は、ヘッド部６７へのインク６８の供給が低下する可能性が低減される。
【００８５】
ＣＰＵ１１は、圧力検出素子４２の検出結果に基づき、メインタンク３０内のインク６８の量を検出する（Ｓ１０３）。ＣＰＵ１１は、圧力検出素子４２により検出されたインク６８の量が、所定値以下になったことを検出する（Ｓ１０５）。ＣＰＵ１１はインク６８の量が所定値以下になったことを検出した場合（Ｓ１０５：ＮＯ）、攪拌翼４１によるインク６８の撹拌を停止する（Ｓ１３）。印刷装置１は、メインタンク３０内のインク６８の量が所定値以下になったと判断された場合、攪拌翼４１によるインク６８の撹拌を停止する。これにより、印刷装置１は、メインタンク３０内のインク６８が殆ど無いにも関わらず攪拌を継続する場合に比べて、気泡がインク６８内に発生する可能性を低減できる。従って、印刷装置１は、インク６８がヘッド部６７から吐出されず、印刷がかすれる可能性を低減できる。
【００８６】
攪拌翼４１は、一方向にのみ回転可能であり、第一チューブ５３の下端部２９は、攪拌翼４１が回転する回転方向に沿って延び、且つ下端部２９の開口部２９Ａは、一方向に向かって開口する。印刷装置１では、第一チューブ５３の下端部２９は、側面視において、攪拌翼４１が回転する一方向に沿って延び、且つ開口部２９Ａが一方向に向かって開口する。故に、印刷装置１は、第一チューブ５３に気泡が侵入する可能性を抑制できる。従って、印刷装置１は、インク６８がヘッド部６７から吐出されず、印刷がかすれる可能性を低減できる。なお、「第一チューブ５３の下端部２９は、攪拌翼４１が回転する回転方向に沿って延び、または、攪拌翼４１が一方向に回転する回転方向に沿って延び」とは、攪拌翼４１が回転する回転領域４１３を円柱状と想定して、第一チューブ５３の下端部２９がその円柱の上面に対して平行であることを意味する。即ち、第一チューブ５３の下端部２９がその円柱の上面に対して平行に伸展するのではなく、その円柱の上面に対して交差する方向に伸展している構成に比べて、第一チューブ５３の開口部２９Ａに気泡が侵入する可能性を抑制できる。更に、図６に示すように、開口部２９Ａの向きが後方向であるとともに、開口部２９Ａが攪拌翼４１の軸線４５（シャフト４０の中心線）の左側にあり、攪拌翼４１の回転方向が順方向である。開口部２９Ａが攪拌翼４１による流れに背を向けているので、開口部２９Ａの向きを前方向にした構成に比べて、開口部２９Ａに気泡が侵入する可能性を抑制できる。なお、前方向は、図６の開口部２９Ａの向きに対して水平方向において１８０度反転させた方向である。
【００８７】
同様に、攪拌翼４１が回転する回転領域４１３を円柱状と想定して、中空部材５８の下方側２１（下端部）がその円柱の上面に対して平行に伸展している。中空部材５８の下方側２１がその円柱の上面に対して平行に伸展ではなく、その円柱の上面に対して交差する方向に伸展している構成に比べて、開口部２１Ａに気泡が侵入する可能性を抑制できる。更に、図６に示すように、開口部２１Ａの向きが前方向であるとともに、開口部２１Ａが攪拌翼４１の軸線４５の右側にあり、攪拌翼４１の回転方向が順方向である。開口部２１Ａが攪拌翼４１による流れに背を向けているので、開口部２１Ａの向きを後方向にした構成に比べて、開口部２１Ａに気泡が侵入する可能性を抑制できる。なお、後方向は、図６の開口部２１Ａの向きに対して水平方向において１８０度反転させた方向である。
【００８８】
なお、本発明は上記実施形態に限定されることなく、種々の変更が可能である。例えば、上記実施形態の印刷装置１では、第一チューブ５３は一体の部品であったがこれに限らない。第一チューブ５３は、先端部と、本体部との２つ以上の部品で構成されていてもよい。この場合、先端部は、第一チューブ５３の下端部２９の一部を含む。本体部は、先端部とは別体に設けられ、先端部と接続する。これにより、第一チューブ５３は、先端部のみ交換できる。また、第一チューブ５３は、先端部を取り外した状態の本体部のみでも使用できる。
【００８９】
第一チューブ５３は、先端部と本体部の伸長方向が変更する部分の形状がメインタンク３０に取り付けられる前から、図５の実線で示すように固定化されていてもよい。この場合、メインタンク３０内の第一チューブ５３は、第一チューブ５３の下端部２９を構成する本体部が伸長方向に伸長してもよい。また、第一チューブ５３は、本体部以外の第一チューブ５３の下端部２９を構成する先端部が伸長方向に対して交差する方向に伸長してもよい。印刷装置１は、伸長方向が変更する部分の形状が固定化されていることにより、第一チューブ５３内の流路が安定する。これにより、印刷装置１は、インク６８を円滑にヘッド部６７に供給できる。従って、印刷装置１は、インク６８がヘッド部６７から吐出されず、印刷がかすれる可能性を低減できる。
【００９０】
上記実施形態の印刷装置１では、第一チューブ５３の開口部２９Ａは、後方に向けて開口していたがこれに限らない。図１１（ａ）に示すように、第一チューブ５３の下端部２９の開口部２９Ａは、上下方向に交差する方向のうち、斜め上方に向けて開口してもよい。印刷装置１は、インク６８に含まれた気泡が上方へ移動しやすいので、開口部２９Ａが斜め上方に向けて開口することにより、第一チューブ５３に気泡が侵入する可能性を低減できる。従って、印刷装置１は、インク６８がヘッド部６７から吐出されず、印刷がかすれる可能性を低減できる。
【００９１】
また、図１１（ｂ）に示すように、第一チューブ５３の下端部２９の開口部２９Ａの下側に張り出し部１７を備えてもよい。印刷装置１は、インク６８に含まれた気泡が上方に移動することがある。第一チューブ５３は、開口部２９Ａの下側に張り出し部１７を備えることにより、第一チューブ５３に気泡が侵入する可能性を低減できる。従って、印刷装置１は、インク６８がヘッド部６７から吐出されず、印刷がかすれる可能性を低減できる。
【００９２】
第一チューブ５３の下端部２９は、上下方向に対して直交する方向に伸長してもよい。印刷装置１では、第一チューブ５３の下端部２９が上下方向に対して直交する。従って、印刷装置１は、メインタンク３０内のインク６８が気泡を含んだ場合も、第一チューブ５３の下端部２９が斜め下方に伸長した場合に比べて、第一チューブ５３内に気泡が侵入する可能性を低減できる。従って、印刷装置１は、インク６８がヘッド部６７から吐出されず、印刷がかすれる可能性を低減できる。また、第一チューブ５３の下端部２９の開口部２９Ａは、第一チューブ５３の軸線に対して垂直に交差する方向に、すなわち後方に向けて開口しなくてもよい。
【００９３】
第一チューブ５３の下端部２９の少なくとも一部が上下方向に交差する方向に延びていればよい。このような場合においても、上記実施形態と同様の効果を得ることができる。
【００９４】
攪拌翼４１は、回転することによりインク６８を攪拌したがこれに限らない。撹拌部材が、上下方向に往復移動することによりインク６８を撹拌してもよい。攪拌翼４１の形状は、上記の形状及び枚数に限られない。インク６８を攪拌できる形状及び枚数であればよい。攪拌翼４１は、図６に矢印で示す順方向である平面視時計回りにのみ回転したがこれに限らず、逆方向である平面視反時計回りに回転してもよい。この場合、攪拌翼４１のシャフト４０（回転軸）が上下方向に伸展する直線状であり、第一チューブ５３の下端部２９の下端５３１（最先端部）がシャフト４０に直交する方向に延びるとよい。従って、印刷装置１は、第一チューブ５３の下端部２９の下端５３１が攪拌翼４１のシャフト４０に直交以外で交差する方向やシャフト４０に平行な上下方向に伸展している場合に比べて、第一チューブ５３に気泡が侵入する可能性を低減できる。従って、印刷装置１は、インク６８がヘッド部６７から吐出されず、印刷がかすれる可能性を低減できる。同様に、中空部材５８の下方側２１は、上下方向に直交する方向、且つシャフト４０に直交する方向に延びるとよい。これにより、インク６８が開口部２１Ａに対して逆流して気泡が侵入するのを防ぐことができる。特に、攪拌翼４１が順方向及び逆方向に回転する場合において、第一チューブ５３の下端部２９の下端５３１（最先端部）がシャフト４０に直交する方向に延びることや、中空部材５８の下方側２１が上下方向に直交する方向に延び、且つシャフト４０に直交する方向に延びることは、開口部２１Ａ、２９Ａへの気泡の侵入の低減に寄与する。なお、中空部材５８の下方側２１は、攪拌翼４１の回転方向や、シャフト４０との位置関係、インク６８の粘性などの特性を考慮して、上下方向に直交ではなく、交差する方向に延びてもよい。
【００９５】
上記構成においては、図６に示すように、位置決め部材５２Ａの開口５２１は水平な面を上下方向に貫通して形成されるとともに、位置決め部材５２Ｂの開口５２２が垂直な面を前後方向に貫通して形成されている。以下、水平な面とは、前後左右方向に対して平行な面であり、垂直な面とは、上下左右方向に対して平行な面を意味する。第一チューブ５３の水平方向位置を位置決め部材５２Ａによって規定されている。その第一チューブ５３が位置決め部材５２Ａによって規定された位置よりも、更に先端側（下端５３１）が、第一チューブ５３の上下方向位置を位置決め部材５２Ｂによって規定されている。つまり、固定部材５２は、第一チューブ５３の下端部２９の上端側の位置を固定し、且つ第一チューブ５３の下端部２９が上下方向に交差する方向に延びるように、第一チューブ５３の下端部２９の上端側とは別に、下端部２９の先端側を固定する部材である。即ち、固定部材５２は、２か所で第一チューブ５３の下端部２９を固定している。図５に示すように、第一チューブ５３の先端部の伸長方向が変更する部分の形状が固定化されていなくても、位置決め部材５２Ａの開口５２１によって、第一チューブ５３の水平位置を規定しており、水平ではない面で規定する場合と比べて、水平方向における位置決めの作業が簡単に行える。同様に、第一チューブ５３の先端部の伸長方向が変更する部分の形状が固定化されていなくても、位置決め部材５２Ｂの開口５２２によって第一チューブ５３の垂直位置を規定しており、垂直ではない面で規定する場合と比べて、垂直方向における位置決めの作業が簡単に行える。
【００９６】
図６に示す構成は、上記のような作業が簡単となる利点がある。しかしながら、図６に示す構成は、後述する図１２、図１３に示す変形例の構成よりも、加工が簡単であるが、以下に説明する可能性が懸念される。
【００９７】
図６に示す構成は、位置決め部材５２Ａの開口５２１が水平な面に形成されている。位置決め部材５２Ｂの開口５２２は垂直な面に形成されており、その垂直な面の上端は水平な面である。位置決め部材５２Ｃの開口５２３，５２４が水平な面に形成されている。それら水平な面とメインタンク３０の内天井との間には、インク６８が存在し、且つ上下方向に伸展する第一チューブ５３、第二チューブ５４、中空部材５８が配置されている。メインタンク３０内のインク６８の組成が、位置決め部材５２Ａ、５２Ｂ、５２Ｃの水平な面に堆積する可能性がある。インク６８の組成は、例えば、顔料であり、特に白インクの場合においては、酸化チタンに関わる顔料である。位置決め部材５２Ａ、５２Ｂ、５２Ｃの水平な面は攪拌翼４１よりも上方にあり、その堆積したインク６８の組成は攪拌翼４１よりも上方に位置する。攪拌翼４１が回転しても、その堆積したインク６８の組成が攪拌翼４１によって攪拌されず、その結果、攪拌翼４１によってインク６８の組成が適切に攪拌されない可能性がある。従って、図６のような構成では、インク６８がヘッド部６７から吐出されず、印刷がかすれる可能性ある。
【００９８】
以下に説明する変形例においては、インク６８の組成が堆積することに起因する問題点を低減するために、以下の構成を有する。特に明記や図示しない構成については、図１〜図１０に関わる構成と同じである。
【００９９】
図１２に示す構成は、インク６８の組成が堆積することに起因する問題点を低減する１つ目の変形例である。図１２の変形例の印刷装置１においては、上記実施形態の固定部材５２の代わりに、固定部材２５２が設けられる点で異なる。固定部材２５２は、板状部５０Ａ、位置決め部材２５２Ａ、２５２Ｂ、２５２Ｃ、傾斜部１１５Ａ、１１５Ｂ、１１５Ｃ、開口５２１Ａ、５２３Ａ、５２４Ａ等が設けられている。
【０１００】
図１２に示すように、固定部材２５２の位置決め部材２５２Ａ、２５２Ｂ、２５２Ｃは、板状部５０Ａに設けられ、攪拌翼４１よりも上方に配置されている。位置決め部材２５２Ａの開口５２１Ａが、水平方向に対して先端側（左側）が下降して傾斜した面である傾斜部１１５Ａに形成されている。位置決め部材２５２Ｂの開口５２２は垂直な面に形成され、その垂直な面の上端の傾斜部１１５Ｂは、水平方向に対して、先端側（左側）が下降して傾斜した面である。位置決め部材２５２Ｃの開口５２３Ａ，５２４Ａが、水平方向に対して先端側（右側）が下降して傾斜した面である傾斜部１１５Ｃに形成されている。開口５２１Ａ、５２２，５２３Ａ，５２４Ａは傾斜部１１５Ａ、１１５Ｂ、１１５Ｃの面に対して直交する方向に貫通している。
【０１０１】
傾斜部１１５Ａ、１１５Ｂ、１１５Ｃとメインタンク３０の内天井の間には、インク６８が存在し、且つ上下方向に伸展する第一チューブ５３、第二チューブ５４、中空部材５８が配置されている。メインタンク３０内のインク６８の組成が、位置決め部材２５２Ａ、２５２Ｂ、２５２Ｃの傾斜部１１５Ａ、１１５Ｂ、１１５Ｃに堆積する可能性がある。位置決め部材２５２Ａ、２５２Ｂ、２５２Ｃの傾斜部１１５Ａ、１１５Ｂ、１１５Ｃの面は攪拌翼４１よりも上方にあり、その堆積したインク６８の組成は攪拌翼４１よりも上方に位置する。しかし、第一チューブ５３、第二チューブ５４、中空部材５８を位置決めしている部分が傾斜部１１５Ａ、１１５Ｂ、１１５Ｃの開口５２１Ａ、５２２、５２３Ａであるので、傾斜部１１５Ａ、１１５Ｂ、１１５Ｃに堆積したインク６８の組成の自重によって、堆積したインク６８の組成が落下する可能性がある。または、攪拌翼４１が回転すると、位置決め部材２５２Ａ、２５２Ｂ、２５２Ｃの面が水平な面である場合よりも（図６参照）、傾斜部１１５Ａ、１１５Ｂ、１１５Ｃからインク６８の組成が落下する可能性が高くなる。位置決め部材２５２Ａ、２５２Ｂ、２５２Ｃに堆積したインク６８の組成が攪拌翼４１によって攪拌されず、その結果、攪拌翼４１によってインク６８の組成が適切に攪拌されない可能性が低減されている。従って、図６のような構成に比べて、インク６８がヘッド部６７から吐出されず、印刷がかすれる可能性が低減されている。
【０１０２】
図１３に示す構成は、インク６８の組成が堆積することに起因する問題点を低減する２つ目の変形例である。図１３の変形例の印刷装置１においては、上記実施形態の固定部材５２の代わりに、固定部材３５２を備える点で異なる。固定部材３５２は、板状部５０Ｂ、位置決め部材３５２Ａ、２５２Ｂ、３５３Ｂ等を備える。位置決め部材３５２Ａは、水平部２１５Ａ、傾斜部３１５Ａを備える。位置決め部材３５２Ｃは、水平部２１５Ｂ、傾斜部３１５Ｂを備える。水平部２１５Ａ、２１５Ｂは、図６に示す位置決め部材５２Ａ、５２Ｃと夫々同様の形状ある。なお、位置決め部材２５２Ｂは、図１２の変形例の位置決め部材２５２Ｂと同一である。
【０１０３】
図１３に示すように、位置決め部材３５２Ａは攪拌翼４１よりも上方に配置されている。位置決め部材５２Ａは、開口５２１が形成されている水平な水平部２１５Ａと、水平部２１５Ａの左端から上方且つ右方に伸展し、右側から左側に向けて下降して傾斜する傾斜部３１５Ａとを有する。水平部２１５Ａ及び傾斜部３１５Ａは板状部５０Ｂの下端部の前側を折り曲げられ、一体に形成されている。傾斜部３１５Ａの上端側は２股に分かれており、その２股の間には、第一チューブ５３及び第二チューブ５４が挿通されている。開口５２１は水平部２１５Ａに対して直交するように貫通している。
【０１０４】
図１３に示すように、位置決め部材２５２Ｂの開口５２２は垂直な面に形成され、その垂直な面の上端は、水平方向に対して、先端側（左側）が下降して傾斜した面である傾斜部１１５Ｂである。なお、図１３の傾斜部１１５Ｂは、図１２に示す変形例の傾斜部１１５Ｂと同一である。
【０１０５】
図１３に示すように、位置決め部材３５２Ｃは攪拌翼４１よりも上方に配置されている。位置決め部材３５２Ｃは、開口５２３，５２４が形成されている水平な水平部２１５Ｂと、水平部２１５Ｂの右端から上方且つ左方に伸展し、左側から右側に下降して傾斜する傾斜部３１５Ｂを有する。水平部２１５Ｂ及び傾斜部３１５Ｂは板状部５０Ｂを折り曲げられ、一体に形成されている。傾斜部３１５Ｂの上端側は２股に分かれており、その２股の間には、中空部材５８とシャフト４０が挿通されている。開口５２３，５２４は水平部２１５Ｂに対して直交するように貫通している。
【０１０６】
上述した図６の構成と同様に、第一チューブ５３の下端部２９が水平方向位置を位置決め部材３５２Ａの水平部２１５Ａの開口５２１によって規定されている。その第一チューブ５３の位置決め部材３５２Ａの水平部２１５Ａによって規定された位置よりも更に先端側（下側）が、上下方向位置を位置決め部材２５２Ｂによって規定されている。図５に示すように、第一チューブ５３の先端部の伸長方向が変更する部分の形状が固定化されていなくても、位置決め部材３５２Ａの水平部２１５Ａの開口５２１の断面によって水平位置を規定しており、水平ではない面で規定する場合と比べて、水平方向における位置決めの作業が簡単に行える。同様に、第一チューブ５３の先端部の伸長方向が変更する部分の形状が固定化されていなくても、位置決め部材２５２Ｂの垂直な面の開口５２２の断面によって垂直位置を規定しており、垂直ではない面で規定する場合と比べて、垂直方向における位置決めの作業が簡単に行える。
【０１０７】
更に、上述した図１２の構成と同様に、第一チューブ５３、第二チューブ５４、中空部材５８を位置決めしている開口５２１、５２２、５２３の上方に、傾斜した面である傾斜部３１５Ａ，１１５Ｂ，３１５Ｂが配置されている。仮に、インク６８の組成が傾斜部３１５Ａ，１１５Ｂ，３１５Ｂに堆積したとしても、堆積したインク６８の組成の自重によって、傾斜している面にインク６８の組成が落下する可能性がある。または、攪拌翼４１が回転すると、堆積した面が水平な面である場合よりも、傾斜している面に堆積したインク６８の組成が落下する可能性が高くなる。その堆積したインク６８の組成が攪拌翼４１によって攪拌されず、その結果、攪拌翼４１によってインク６８の組成が適切に攪拌されない可能性が低減されている。従って、図６のような構成に比べて、インク６８がヘッド部６７から吐出されず、印刷がかすれる可能性が低減されている。
【０１０８】
また、第一チューブ５３の下端部２９の一部は、攪拌翼４１が回転する一方向に直交する方向に延びてもよい。従って、印刷装置１は、第一チューブ５３の下端部２９の一部が攪拌翼４１の回転する方向の一方向に沿って伸長する場合に比べて、第一チューブ５３に気泡が侵入する可能性を低減できる。従って、印刷装置１は、インク６８がヘッド部６７から吐出されず、印刷がかすれる可能性を低減できる。
【０１０９】
中空部材５８は、下方側２１が前後方向に延びたがこれに限らない。中空部材５８の下方側２１は設けられなくてもよい。この場合、中空部材５８は、上下方向に伸展し、且つ中空部材５８の開口部２１Ａが下方に向けて開口する。故に、中空部材５８をメインタンク３０に簡単に取り付けできる。中空部材５８の下方側２１は、上下方向と直交する水平方向の成分を含む方向に伸展し、且つ中空部材５８の開口部２１Ａは、水平方向に向けて開口してもよい。
【０１１０】
中空部材５８は、弾性体で形成されてもよい。この場合、位置決め部材５２Ｃは、弾性体の少なくとも一部の位置を固定すればよい。印刷装置１では、位置決め部材５２Ｃが弾性体で形成された中空部材５８の少なくとも一部の位置を固定する。故に、中空部材５８が他の部材に絡む可能性を低減できる。故に、印刷装置１は、圧力検出素子４２の出力に影響が出ることを抑制できる。また、中空部材５８の下方側２１の少なくとも一部が水平方向成分を含む方向、すなわち上下方向に交わる方向に交差してもよい。このような場合においても、上記実施形態と同様の効果を得ることができる。
【０１１１】
第一チューブ５３、第二チューブ５４、及び中空部材５８は、弾性体で形成されてもよい。この場合、位置決め部材５２Ａ、５２Ｂ、５２Ｃは、弾性体で形成された第一チューブ５３、第二チューブ５４、及び中空部材５８の各々の少なくとも一部を、メインタンク３０の内部で固定すればよい。従って、印刷装置１は、第一チューブ５３、第二チューブ５４が、中空部材５８に絡むことが低減され、圧力検出素子４２の出力に影響が出るのを抑制できる。
【０１１２】
固定部材５２の位置決め部材５２Ｃは、容器開口部３３側とは反対側のメインタンク３０の右側面３０１側で、中空部材５８の少なくとも一部の位置を固定してもよい。この場合、位置決め部材５２Ａ、５２Ｂ、５２Ｃ、第一チューブ５３、第二チューブ５４の少なくとも何れか一つが中空部材５８と容器開口部３３の間に配置される。従って、印刷装置１は、容器開口部３３と中空部材５８の間に何も配置されていない場合に比べて、中空部材５８が容器開口部３３からのインク６８の直撃を受ける可能性が低くなる。故に、印刷装置１は、中空部材５８の劣化を抑制することができる。
【０１１３】
固定部材５２は、第一チューブ５３、及び第二チューブ５４の少なくとも何れか一つと中空部材５８の少なくとも一部を、メインタンク３０の内部で固定してもよい。この場合においても、印刷装置１は、第一チューブ５３、第二チューブ５４、及び中空部材５８を別途固定する位置決め部材が設けられるよりも、メインタンク３０の内部の空間を固定部材５２が占める割合を低減できる。故に、印刷装置１はメインタンク３０を小型化できる。
【０１１４】
攪拌モータ４４は、ＣＰＵ１１により、インク６８の量に応じて一定の動作速度で駆動されたがこれに限らない。ＣＰＵ１１は、攪拌モータ４４の回転速度を可変にして駆動してもよい。また、例えば、ＣＰＵ１１は、メインタンク３０内のインク６８の量に関わらず、攪拌翼４１を一定の動作速度で駆動してもよい。これにより、印刷装置１は、一定の動作速度よりも低速で攪拌翼４１が動作する場合に比べて、インク６８の量に関わらずインク６８を一定の動作速度で撹拌できる。従って、印刷装置１は、ヘッド部６７へのインク６８の供給が低下する可能性が低減される。
【０１１５】
ＣＰＵ１１は、メイン処理を実行することにより圧力検出素子４２の出力から、メインタンク３０のインク６８の残量を特定したがこれに限らない。ＣＰＵ１１は、インク６８がメインタンク３０に注入されたことに起因して中空部材５８の中空内の圧力が所定圧分増加する場合がある。この場合に、ＣＰＵ１１は、メモリ装着部に装着されたＥＥＰＲＯＭ７７のインク６８の量に関するデータを参照してもよい。印刷装置１は、インク６８がメインタンク３０に注入されたことに起因して中空部材５８の中空内の圧力が所定圧分増加した場合に、メモリ装着部に装着されたＥＥＰＲＯＭ７７のインク６８の量に関するデータを参照して、インク６８の残量を検出できる。そのほか、メインタンク３０のインク６８の残量の検出は、所定時間ごとに割り込み処理で行っても良い。
【０１１６】
例えば、メインタンク３０は、印刷装置１以外にも、被記録媒体に液体記録材を例えばスプレーなどで吐出する吐出部を有する液体収容装置に設けられてもよい。特にこの液体記録材が沈降性を有する場合に、本発明は有効である。液体記録材は、インクに限られず、抜染剤、前処理剤等でもよい。また、圧力検出素子４２は、圧力を検出する素子に限られず、電極式、静電容量式、光式等の液体のレベルを検出できるものであればよい。また、一例として、圧力検出素子４２は、液面をフロートの上下動により検出するフロートセンサでもよい。この場合、圧力検出素子４２は、メインタンク３０内で、インク６８の残量を検出する所定の高さに設けられる。
【０１１７】
メインタンク３０は、上記の形状に限られず、インク６８を収容できるものであればよい。また、脱気モジュール６０の構成は、上記実施形態と異なる構成であってもよい。また、脱気モジュール６０が設けられなくてもよい。また、フィルタ７７１が設けられなくてもよい。
【０１１８】
＜その他＞
上記実施形態例において、ヘッド部６７は、本発明の「インクジェットヘッド」の一例である。メインタンク３０は、本発明の「タンク」の一例である。回転領域４１３は、本発明の「動作範囲」の一例である。圧力検出素子４２は本発明の「センサ」の一例である。ヘッド部６７は、「画像形成部」の一例である。Ｔシャツ等の布帛、紙等は本発明の「被記録媒体」の一例である。インク６８は本発明の「インク又は液体記録材」の一例である。図９のＳ７の処理を実行するＣＰＵ１１は、本発明の「駆動手段」の一例である。
【符号の説明】
【０１１９】
１      印刷装置
１１    ＣＰＵ
１２    ＲＯＭ
１７  張り出し部
２９    下端部
２９Ａ    開口部
３０    メインタンク
４０    シャフト
４１    攪拌翼
４２    圧力検出素子
５０    板状部
５２    固定部材
５２Ａ、５２Ｂ、５２Ｃ    位置決め部材
１１５Ａ、１１５Ｂ、１１５Ｃ、３１５Ａ、３１５Ｂ    傾斜部
５３    第一チューブ
５４    第二チューブ
６８    インク
４１３  回転領域
【図１】
2020157503.tif 000003
【図２】
2020157503.tif 000004
【図３】
2020157503.tif 000005
【図４】
2020157503.tif 000006
【図５】
2020157503.tif 000007
【図６】
2020157503.tif 000008
【図７】
2020157503.tif 000009
【図８】
2020157503.tif 000010
【図９】
2020157503.tif 000011
【図１０】
2020157503.tif 000012
【図１１】
2020157503.tif 000013
【図１２】
2020157503.tif 000014
【図１３】
2020157503.tif 000015